(57)【要約】      （修正有）【課題】元となる電子文書から電子署名文書を作成するための方法を提供する。【解決手段】電子署名を作成するための方法は、元となる電子文書の内容に基づいて文書関連画像３３１を生成することと、表示部により、元となる電子文書を表示することと、署名を構築する署名ストローク３１のセットをユーザが入力している時のユーザのリアルタイムビデオ３２を録画することと、リアルタイムビデオ３２と文書関連画像３３１とに基づいて重ね合わせビデオ３を生成し、重ね合わせビデオ３においては、文書関連画像３３１とリアルタイムビデオ３２の一部が重ね合わされている、ことと、重ね合わせビデオ３を元となる電子文書に嵌め込むことで、電子署名文書を生成することと、を含む。【選択図】図４
2020021460.tif 000002
【特許請求の範囲】
【請求項１】
元となる電子文書（２）から電子署名文書（２′）を作成するための方法であって、
該方法は、プロセッサ（１６）と、画像取込部（１２）と、表示部を具えた入力／出力モジュールとを備える電子装置（１）によって実行され、
該方法は、
前記元となる電子文書（２）の内容に基づいて文書関連画像（３３１）を生成するステップと、
前記表示部により、前記元となる電子文書（２）を表示するステップと、
前記画像取込部（１２）により、前記入力／出力モジュールにおける署名を構築する署名ストローク（３１）のセットをユーザが入力している時の該ユーザのリアルタイムビデオ（３２）を録画するステップと、
前記プロセッサ（１６）により、前記リアルタイムビデオ（３２）と前記文書関連画像（３３１）とに基づいて重ね合わせビデオ（３）を生成し、該重ね合わせビデオ（３）においては、前記文書関連画像（３３１）と前記リアルタイムビデオ（３２）の一部が重ね合わされている、ステップと、
前記プロセッサ（１６）により、前記重ね合わせビデオ（３）を前記元となる電子文書（２）に嵌め込むことで、電子署名文書（２′）を生成するステップと、
を含む、方法。
【請求項２】
前記重ね合わせビデオ（３）においては、前記文書関連画像（３３１）が前記リアルタイムビデオ（３２）の一部に重なっている、請求項１に記載の方法。
【請求項３】
前記重ね合わせビデオ（３）を生成するステップにおいて、前記プロセッサ（１６）は更に、前記署名ストローク（３１）のセットを含む署名ファイルを生成して、該署名ファイルを前記重ね合わせビデオ（３）に組み込む、請求項１または請求項２に記載の方法。
【請求項４】
前記文書関連画像（３３１）を生成するステップにおいて、前記プロセッサ（１６）は複数の文書関連画像（３３１）を生成し、そして前記複数の文書関連画像（３３１）のうちの１つは、前記元となる電子文書（２）のスクリーンキャプチャ画像である、請求項１または請求項３に記載の方法。
【請求項５】
各前記複数の文書関連画像（３３１）は、前記元となる電子文書（２）のスクリーンキャプチャ画像である、請求項１または請求項４に記載の方法。
【請求項６】
前記重ね合わせビデオ（３）を生成するステップにおいて、該重ね合わせビデオ（３）は、前記複数の文書関連画像（３３１）が該重ね合わせビデオ（３）の再生中にそれぞれ順番に表示されるよう構成される形で生成される、請求項５に記載の方法。
【請求項７】
前記重ね合わせビデオ（３）を生成するステップにおいて、該重ね合わせビデオ（３）は、前記複数の文書関連画像（３３１）が該重ね合わせビデオ（３）の再生中にそれぞれ順番に繰り返し表示されるよう構成される形で生成される、請求項５に記載の方法。
【請求項８】
前記重ね合わせビデオ（３）を生成するステップにおいて、該重ね合わせビデオ（３）は、前記複数の文書関連画像（３３１）が該重ね合わせビデオ（３）の再生中に所定期間内で少なくとも１回それぞれ順番に表示されるよう構成される形で生成される、請求項５に記載の方法。
【請求項９】
前記文書関連画像（３３１）のうちの１つは、前記元となる電子文書（２）の前記スクリーンキャプチャのサムネイルを含む、請求項４〜請求項８のいずれか一項に記載の方法。
【請求項１０】
元となる電子文書（２）から電子署名文書（２′）を作成するための電子装置（１）であって、
該電子装置（１）は、
プロセッサ（１６）と、
前記プロセッサ（１６）に接続される画像取込部（１２）と、
前記プロセッサ（１６）に接続され、且つ表示部を具えた入力／出力モジュールと、
を備えており、
前記プロセッサ（１６）は、
前記元となる電子文書（２）の内容に基づいて文書関連画像（３３１）を生成し、
前記表示部を制御して、前記元となる電子文書（２）を表示し、
前記画像取込部（１２）を制御して、前記入力／出力モジュールにおける署名を構築する署名ストローク（３１）のセットをユーザが入力している時の該ユーザのリアルタイムビデオ（３２）を録画し、
前記リアルタイムビデオ（３２）と前記文書関連画像（３３１）とに基づいて重ね合わせビデオ（３）を生成し、該重ね合わせビデオ（３）においては、前記文書関連画像（３３１）と前記リアルタイムビデオ（３２）の一部が重ね合わされていて、
前記重ね合わせビデオ（３）を前記元となる電子文書（２）に嵌め込むことで、電子署名文書（２′）を生成する、
ように構成されている、電子装置（１）。
【請求項１１】
前記プロセッサ（１６）は、前記文書関連画像（３３１）が前記リアルタイムビデオ（３２）の一部に重なる形で、前記重ね合わせビデオ（３）を生成するように構成されている、請求項９または請求項１０に記載の電子装置（１）。
【請求項１２】
前記プロセッサ（１６）は、前記署名ストローク（３１）のセットを含む署名ファイルを生成して、該署名ファイルを前記重ね合わせビデオ（３）に組み込むよう、更に構成されている、請求項９〜請求項１１のいずれか一項に記載の電子装置（１）。
【請求項１３】
前記プロセッサ（１６）は、複数の文書関連画像（３３１）を生成するよう更に構成されており、
前記複数の文書関連画像（３３１）のうちの１つは、前記元となる電子文書（２）のスクリーンキャプチャ画像である、請求項９〜請求項１２のいずれか一項に記載の電子装置（１）。
【請求項１４】
各前記複数の文書関連画像（３３１）は、前記元となる電子文書（２）のスクリーンキャプチャ画像である、請求項１０〜請求項１３にいずれか一項に記載の電子装置（１）。
【請求項１５】
前記プロセッサ（１６）は、前記複数の文書関連画像（３３１）が前記重ね合わせビデオ（３）の再生中にそれぞれ順番に表示されるよう構成される形で、該重ね合わせビデオ（３）を生成するように構成されている、請求項１４に記載の電子装置（１）。
【請求項１６】
前記プロセッサ（１６）は、前記複数の文書関連画像（３３１）が前記重ね合わせビデオ（３）の再生中にそれぞれ順番に繰り返し表示されるよう構成される形で、該重ね合わせビデオ（３）を生成するよう構成されている、請求項１４に記載の電子装置（１）。
【請求項１７】
前記プロセッサ（１６）は、前記複数の文書関連画像（３３１）が前記重ね合わせビデオ（３）の再生中に所定期間内で少なくとも１回それぞれ順番に表示されるように構成される形で、該重ね合わせビデオ（３）を生成するよう構成されている、請求項１４に記載の電子装置（１）。
【請求項１８】
前記文書関連画像（３３１）のうちの１つは、前記元となる電子文書の前記スクリーンキャプチャのサムネイルを含む、請求項９〜請求項１７のいずれか一項に記載の電子装置（１）。
【発明の詳細な説明】
【技術分野】
【０００１】
（関連する出願の相互参照）
本出願は、２０１８年５月１１日に出願された台湾特許出願  第１０７１１６１００号の優先権を主張するものである。
【０００２】
本開示は、元となる電子文書において電子署名を作成するための方法及びシステムに関する。
【背景技術】
【０００３】
米国特許第９７９８７０６Ｂ２には、電子署名を生成するための従来の方法が開示されている。該従来の電子署名を生成するための方法では、ウェブサーバが電子装置のタッチスクリーンに表示されるウェブページを提供し、そして前記電子装置から、署名者により入力した手書き署名の代表信号と、前記手書き署名を署名している間での該署名者の動作を表現する動的画像と、を受信する。前記動的画像は、前記手書き署名の入力と同時に、前記電子装置の動的画像取込モジュールによって取り込まれたものである。その後、前記ウェブサーバは、前記動的画像をストリーミングファイルとして記憶し、前記代表信号と前記ストリーミングファイルを含んでいるデータファイルをコンパイルし、そして前記ウェブページで該データファイルを電子署名として実行する。
【発明の概要】
【発明が解決しようとする課題】
【０００４】
そこで、本発明の１つの目的は、元となる電子文書において電子署名を作成するための方法を提供することにある。
【課題を解決するための手段】
【０００５】
本開示の１つの実施態様によれば、前記方法は、プロセッサと、画像取込部と、表示部を具えた入力／出力モジュールとを備える、電子装置によって実行されろものである。該方法は、
前記元となる電子文書の内容に基づいて文書関連画像を生成するステップと、
前記表示部により、前記元となる電子文書を表示するステップと、
前記画像取込部により、前記入力／出力モジュールにおける署名を構築する署名ストロークのセットをユーザが入力している時の該ユーザのリアルタイムビデオを録画するステップと、
前記プロセッサにより、前記リアルタイムビデオと前記文書関連画像とに基づいて重ね合わせビデオを生成し、該重ね合わせビデオにおいては、前記文書関連画像と前記リアルタイムビデオの一部が重ね合わされている、ステップと、
前記プロセッサにより、前記重ね合わせビデオを前記元となる電子文書に嵌め込むことで、電子署名文書を生成するステップと、を含む。
【０００６】
本発明の他の目的は、上記の方法を実行できる電子装置を提供することにある。
【０００７】
本開示の１つの実施形態によれば、前記電子装置は、元となる電子文書から電子署名文書を作成するためのものであり、そしてプロセッサと、前記プロセッサに接続される画像取込部と、前記プロセッサに接続され、且つ表示部を具えた入力／出力モジュールと、を備えている。
【０００８】
前記プロセッサは、
前記元となる電子文書の内容に基づいて文書関連画像を生成し、
前記表示部を制御して、前記元となる電子文書を表示し、
前記画像取込部を制御して、前記入力／出力モジュールにおける署名を構築する署名ストロークのセットをユーザが入力している時の該ユーザのリアルタイムビデオを録画し、
前記リアルタイムビデオと前記文書関連画像とに基づいて重ね合わせビデオを生成し、該重ね合わせビデオにおいては、前記文書関連画像と前記リアルタイムビデオの一部が重ね合わされていて、
前記重ね合わせビデオを前記元となる電子文書に嵌め込むことで、電子署名文書を生成する、
ように構成されている。
【０００９】
本発明の他の特徴および利点は、添付の図面を参照する以下の実施形態の詳細な説明において明白になるであろう。
【図面の簡単な説明】
【００１０】
【図１】本開示の１つの実施形態に係る電子装置を図示するブロック図である。
【図２】前記電子装置の実行を図示する概略図である。
【図３】前記電子装置における、元となる電子文書を図示する図である。
【図４】前記電子装置において再生される、例示の重ね合わせビデオを図示する図である。
【図５】本開示の１つの実施形態によって生成された電子署名文書を図示する図である。
【図６】本開示の１つの実施形態によって電子署名文書を作成する方法のステップを図示するフローチャートである。
【発明を実施するための形態】
【００１１】
本発明をより詳細に説明する前に、適切と考えられる場合において、符号又は符号の末端部は、同様の特性を有し得る対応の又は類似の要素を示すために各図面間で繰り返し用いられることに留意されたい。
【００１２】
図１は本開示の１つの実施形態に係る電子装置１を図示するブロック図である。
【００１３】
図２に示されるように、電子装置１としては、パソコン、ラップトップ、タブレット、モバイル装置（例えば、スマートフォン）、携帯端末（Ｐｅｒｓｏｎａｌ  Ｄｉｇｉｔａｌ  Ａｓｓｉｓｔａｎｔ、ＰＤＡ）などが使われて実施されることができ、そして入力／出力モジュールと、画像取込部１２と、測位部１３と、通信部１４と、データストレージ１５と、プロセッサ１６（図１を参照）とを具える。
【００１４】
前記入力／出力モジュールは、表示部（例えば、タッチスクリーン）のような出力装置と、電子メモ帳（Ｗｒｉｔｉｎｇ  ｐａｄ）のような入力装置などを具えてもよい。本実施形態において、前記入力装置及び前記出力装置は、タッチスクリーン１１として統合されるものである。画像取込部１２としては、電子装置１に内蔵される物理的内蔵カメラ、または電子装置１に接続される外部カメラが使われて実施されてもよい。また、測位部１３としては、電子装置１の地理位置を指示する位置座標のセットを取得するための、全地球測位システム（Ｇｌｏｂａｌ  ｐｏｓｉｔｉｏｎｉｎｇ  ｓｙｓｔｅｍ）部が使われて実施されてもよい。
【００１５】
通信部１４は、近距離無線通信モジュールと、モバイル通信モジュールとを具えてもよく、前記近距離無線通信モジュールは、ブルートゥース（登録商標）やＷｉ−Ｆｉなどの無線技術を使用する近距離無線通信をサポートするものであり、前記モバイル通信モジュールは、ロングタームエボリューション（ＬＴＥ）、第３世代（３Ｇ）や第４世代（４Ｇ）の無線移動遠隔通信技術などをサポートするものである。
【００１６】
データストレージ１５としては、ハードディスク、フラッシュメモリなどのような不揮発性記憶装置媒体が使われて実施されてもよい。データストレージ１５は、電子装置１のオペレーティングシステム（ＯＳ）と、プロセッサ１６により実行できるソフトウェアアプリケーションと、少なくとも１つの元となる電子文書とを記憶する。
【００１７】
プロセッサ１６は、シングルコアプロセッサ、マルチコアプロセッサ、デュアルコアモバイルプロセッサ、マイクロプロセッサ、マイクロコントローラ、デジタルシグナルプロセッサ（ＤＳＰ）、フィールドプログラマブルゲートアレイ（ＦＰＧＡ）、特定用途向け集積回路（ＡＳＩＣ）、無線周波数集積回路（ＲＦＩＣ）などを含んでもよいが、その限りではない。
【００１８】
図６は、元となる電子文書から電子署名文書を生成する方法のステップを図示するフローチャートである。本実施形態においては、図３に示されるように、電子装置１としてはタブレットが使われて実施されており、前記入力／出力モジュールとしてはタッチスクリーン１１が使われて実施されており、そしてユーザに対してその元となる電子文書を“署名する”ように要求する際、該ユーザは、ステップ４１において電子装置１を操作して前記ソフトウェアアプリケーションを実行することができる。それに応じて、プロセッサ１６は、ステップ４２においてタッチスクリーン１１を制御して、元となる電子文書２を表示する。
【００１９】
図３に示される一例では、タッチスクリーン１１に表示される、元となる電子文書２は、署名領域２１１及びビデオ領域２１２を含む。例えば、元となる電子文書２は、複数のページ（例えば４枚）を有する契約文書であり、そして署名領域２１１及びビデオ領域２１２は、元となる電子文書２の第１ページに位置する。元となる電子文書２には、異なる関係者による複数の署名が必要となる場合では、追加の署名領域及びビデオ領域を、その元となる電子文書２における別々の位置／ページに表してもよい。
【００２０】
ステップ４３において、プロセッサ１６は、元となる電子文書２の内容に基づいて、少なくとも１つの文書関連画像を生成する。
【００２１】
図４を参照すると、例えば、元となる電子文書２は、４ページ分の契約文書である。このように、４枚の文書関連画像３３１（１枚のみが図示される）が生成される。４枚の文書関連画像３３１のそれぞれは、元となる電子文書２の１ページの、もしくは元となる電子文書２の１ページの一部の、スクリーンキャプチャ画像であり得る。つまり、周知の電子装置で使用された、画像取り込み技術が利用されてもよい。
【００２２】
追加の文書関連画像が生成されて、元となる電子文書２に関する他の特徴を含むようにされることもある。例えば、１枚の追加の文書関連画像３３２が、文書関連画像３３１のそれぞれのサムネイル３３１′を含むこともある。
【００２３】
なお、本実施形態では、各文書関連画像３３１、３３２は、半透明に調整されることもあり、即ち、各文書関連画像３３１のうちの１つがタッチスクリーン１１により表示される際、各文書関連画像３３１のうちの当該１つに覆われている内容（例えば、背景）は、まだ見ることが可能である。
【００２４】
ユーザが元となる電子文書２の署名をしようとする際、該ユーザは、電子装置１を操作して、署名領域２１１に関連する起動コマンドを入力することができる（例えば、タッチスクリーン１１において署名領域２１１に対応する位置に直接触れることで）。
【００２５】
プロセッサ１６は、ステップ４４において、起動信号を受信したか否かを判定する。該起動信号の受信に応じて、ステップ４５では、プロセッサ１６は測位部１３から位置座標のセットを取得する。さもなくば、プロセッサ１６は、起動信号を受信するまで待機することになる。
【００２６】
なお、異なる実施形態において、ステップ４３とステップ４４とは、任意の順番で、もしくは同時に行われることもある。
【００２７】
この段階では、ユーザ（即ち、署名者）は、署名を署名領域２１１に入力することが可能になる。
【００２８】
実際では、ユーザは、署名ストローク３１のセットを入力し、指またはスタイラスペンを使ってストロークを一つずつ、署名領域２１１で署名を構成する。更にステップ４５では、署名ストローク３１のセットの各ストロークに対して、プロセッサ１６は、タッチスクリーン１１から代表信号を受信する。該代表信号は、マークアップ言語が組み込まれたものである。
【００２９】
複数の署名ストロークを含む署名において、プロセッサ１６は、該複数の署名ストローク３１をそれぞれ代表する複数の代表信号を受信することになり、そして各代表信号は、マークアップ言語が組み込まれたものである。また、本実施形態において、前記マークアップ言語としては、Ｊａｖａｓｃｒｉｐｔ（登録商標）、Ｊａｖａ（登録商標）、Ｓｗｉｆｔ、Ｏｂｊｅｃｔｉｖｅ  Ｃなどから選出したものである。
【００３０】
加えてステップ４５においては、ユーザが署名領域２１１内の署名を構成する署名ストローク３１のセットを入力すると、プロセッサ１６は、画像取込部１２を制御して画像を取り込み始め、そして取り込んだ画像をリアルタイムビデオ３２として録画する。具体的に、本実施形態では、画像取込部１２は少なくとも、ユーザ／署名者が署名ストローク３１のセットを入力する過程における、該ユーザの顔部を取り込む。
【００３１】
本実施形態において、リアルタイムビデオ３２は、以下から選出したフォーマットのストリーミングメディアの形態となることもあり、それらのフォーマットは、Ｈ.２６３、Ｈ.２６４、Ｆｌａｓｈ  ｖｉｄｅｏ（.ｆ４ｖ）、Ｒｅａｌｍｅｄｉａ（.ｒｍ）、Ｗｉｎｄｏｗｓ  Ｍｅｄｉａ  Ｖｉｄｅｏ（.ｗｍｖ）、.ｍ４ｖ、Ｑｕｉｃｋｔｉｍｅ  Ｆｉｌｅ  Ｆｏｒｍａｔ（.ｍｏｖ）などである。本実施形態においては、録画してから、リアルタイムビデオ３２はビデオ領域２１２内に表示される。
【００３２】
ユーザは、署名ストローク３１のセットの入力を完了した後、電子装置１を操作して完成コマンドを入力できる（例えば、タッチスクリーン１１における、完成ボタンに対応する位置に直接触れることで）。
【００３３】
前記完成コマンドの受信に応じて、ステップ４６では、プロセッサ１６は、少なくともリアルタイムビデオ３２と文書関連画像３３１とに基づき、そして随意に、追加の文書関連画像３３２にも基づいて、重ね合わせビデオ３を生成する。実施形態によれば、重ね合わせビデオ３は、リアルタイムビデオ３２と、文書関連画像３３１及び／または追加の文書関連画像３３２のような他の要素が重ね合わされることで、生成され得る。
【００３４】
図４は、プロセッサ１６に生成されてタッチスクリーン１１において再生される、例示の重ね合わせビデオ３を図示する。該重ね合わせビデオ３においては、文書関連画像３３１、３３２とリアルタイムビデオ３２の一部が重ね合わされている。
【００３５】
具体的には、例えば図４に示されるよう、重ね合わせビデオ３においては、文書関連画像３３１のうちの１つと、リアルタイムビデオ３２の一部とが重ね合わされており、その時、文書関連画像３３１、３３２が半透明であるから、リアルタイムビデオ３２はまだ見ることが可能であり、そして署名ストローク３１のセットも該重ね合わせビデオ３に組み込まれている。これは、署名ストローク３１のセットを含む署名ファイルを生成し、そしてその署名ファイルを重ね合わせビデオ３に組み込む、プロセッサ１６によってなし得ることである。一種の実施において、該署名ファイルは、重ね合わせビデオ３に組み込むことができる数々の視覚要素に変換されるため、その重ね合わせビデオ３が再生されると、署名ストローク３１のセットが表示されえる。
【００３６】
ちなみに、大量の文書関連画像３３１が表示されることもあるので、重ね合わせビデオ３内で各文書関連画像３３１を適切に表示するために、その重ね合わせビデオ３が様々な形で生成されて文書関連画像３３１を表示することもある。例えば、各文書関連画像３３１は、スライドショーの形で、重ね合わせビデオ３の再生中に順番で表示されるよう、構成されることもある。一例としては、重ね合わせビデオ３が生成されて、元となる電子文書２の第１ページに関連する文書関連画像３３１が最初に現れ、そして１秒後にフェードアウトし、次には元となる電子文書２の第２ページに関連する文書関連画像３３１が現れてからフェードアウトし、そして次へ、のようにすることもできる。他の例において、文書関連画像３３１及び追加の文書関連画像３３２（サムネイル３３１′を含む）は、重ね合わせビデオ３の再生中に、ユーザにスクロールされると、重ね合わせビデオ３内で“動く”ように、配置されることもある。図４の例において、スクロールの動作は水平（例えば、右から左へ、あるいは左から右へ）であってもよいが、別の実施形態において、他の手法、例えば垂直（例えば、上から下へ、あるいは下から上へ）となることもある。
【００３７】
なお、各文書関連画像３３１、３３２は、重ね合わせビデオ３の再生中に順番に繰り返し表示されるよう、構成される。即ち、文書関連画像３３１、３３２のうちの、最後に表示されるよう配置された１枚（例えば、元となる電子文書２の最終ページに関連する文書関連画像３３１）が表示された後、文書関連画像３３１のうちの、最初に表示されるよう配置された１枚（例えば、追加の文書関連画像３３２）は、再び表示されてループを再開する。
【００３８】
１つの実施形態において、プロセッサ１６は更に、リアルタイムビデオ３２の再生期間を決定し（例えば、５秒〜１０秒）、そして重ね合わせビデオ３を、前記複数の文書関連画像３３１、３３２が該重ね合わせビデオ３の再生中に、リアルタイムビデオ３２の再生期間内に収まる所定の期間内（リアルタイムビデオ３２の再生期間より短く、もしくはその持続期間と同様）に、少なくとも１回それぞれ順番に表示されるよう構成される形で生成する。
【００３９】
重ね合わせビデオ３が生成された後、ステップ４７では、プロセッサ１６は、重ね合わせビデオ３を元となる電子文書２（図３を参照）に嵌め込むことで、電子署名文書２′（図５を参照）を生成する。
【００４０】
具体的には、図５に示されるよう、電子署名文書２′は、重ね合わせビデオ３を元となる電子文書２のビデオ領域２１２に嵌め込むことで、を生成されるものである。なお、プロセッサ１６は更に、署名ストローク３１のセットを元となる電子文書２の署名領域２１１内に嵌め込む。
【００４１】
一部の実施形態において、ステップ４７では、プロセッサ１６は更に、位置座標のセットを元となる電子文書２に嵌め込んで、該位置座標のセットのデータを有するように電子署名文書２′を生成する。前記位置座標のセットは、署名が行われた所での電子装置１の現在位置に関連しており、そして測位部１３を使って取得するものである。
【００４２】
一部の実施形態において、ステップ４７では、プロセッサ１６は更に、暗号化数値を生成し、そして更に該暗号化数値を元となる電子文書２に嵌め込んで、該暗号化数値を有するように電子署名文書２′を生成する。
【００４３】
例えば、前記暗号化数値は、以下のパラメータのうちの１種またはそれ以上に基づいて生成されるハッシュ値の形であってもよく、それらのパラメータは、電子装置１の地理位置や、元となる電子文書２における署名領域２１１及び／またはビデオ領域２１２の位置や、前記署名ファイルから抽出した１つまたはそれ以上の数値などである。
【００４４】
このように、上記のパラメータのうちの１つが変更されると、上述のように生成されたハッシュ値は、他のハッシュ値と異なるものになる。なお、他の実施形態では、前記ハッシュ値の生成において、追加のパラメータ（例えばユーザの顔の特徴、リアルタイムビデオ３２が録画される時点）が組み込まれることもある。
【００４５】
一部の実施形態において、ステップ４７では、プロセッサ１６は更に、タイムスタンプ局（ＴＳＡ）からタイムスタンプを取得し、そしてそのタイムスタンプを元となる電子文書２に嵌め込んで、該タイムスタンプを有するように電子署名文書２′を生成する。これは、電子署名文書２′が前記タイムスタンプに指示される特定の時間で生成された認証とするために行なわれる。
【００４６】
総括すると、本開示の実施形態は、ユーザと、元となる電子文書２の内容と、署名ストローク３１のセットとの関連を導入する電子署名文書２′を生成できる、方法及び電子装置を提供する。これによれば、電子署名文書２′に含まれている署名ストローク３１のセットは、そのユーザ自身により署名されたことを確立できる。
【００４７】
ちなみに、重ね合わせビデオ３が、署名ストローク３１のセットと、リアルタイムビデオ３２と、元となる電子文書２の少なくとも一部（文書関連画像３３１、そして随意に、追加の文書関連画像３３２も）とを含むので、上記の各要素を元となる電子文書２内に別々で嵌め込むよりは、重ね合わせビデオ３を単一の要素として元となる電子文書２に嵌め込むことで、処理が必要の要素が少なくなるので、比較的に容易に電子装置１で電子署名文書２′を生成することができる。
【００４８】
更に、電子署名文書２′に含まれている署名ストローク３１のセットが、そのユーザ自身により署名され、または入力されたことを認証し、そして真正性を強化するには、１つまたは多種の認証の測定（例えば、前記暗号化数値、前記タイムスタンプなど）を選択的に電子署名文書２′に嵌め込むことができる。
【００４９】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。また、本明細書における「一つの実施形態」「一実施形態」を示す説明において、序数などの表示を伴う説明は全て、特定の態様、構造、特徴を有する本発明の具体的な実施に含まれ得るものであることと理解されたい。更に、本説明において、時には複数の変化例が一つの実施形態、図面、またはこれらの説明に組み込まれているが、これは本説明を合理化させるためのもので、また、本発明の多面性が理解されることを目的としたものである。
【００５０】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【図１】
2020021460.tif 000003
【図２】
2020021460.tif 000004
【図３】
2020021460.tif 000005
【図４】
2020021460.tif 000006
【図５】
2020021460.tif 000007
【図６】
2020021460.tif 000008
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
元となる電子文書（２）から電子署名文書（２′）を作成するための方法であって、
該方法は、プロセッサ（１６）と、画像取込部（１２）と、表示部を具えた入力／出力モジュールとを備える電子装置（１）によって実行され、
該方法は、
前記元となる電子文書（２）の内容に基づいて文書関連画像（３３１）を生成するステップと、
前記表示部により、前記元となる電子文書（２）を表示するステップと、
前記画像取込部（１２）により、前記入力／出力モジュールにおける署名を構築する署名ストローク（３１）のセットをユーザが入力している時の該ユーザのリアルタイムビデオ（３２）を録画するステップと、
前記プロセッサ（１６）により、前記リアルタイムビデオ（３２）と前記文書関連画像（３３１）とに基づいて重ね合わせビデオ（３）を生成し、該重ね合わせビデオ（３）においては、前記文書関連画像（３３１）と前記リアルタイムビデオ（３２）の一部が重ね合わされている、ステップと、
前記プロセッサ（１６）により、前記重ね合わせビデオ（３）を前記元となる電子文書（２）に嵌め込むことで、電子署名文書（２′）を生成するステップと、
を含む、方法。
【請求項２】
前記重ね合わせビデオ（３）においては、前記文書関連画像（３３１）が前記リアルタイムビデオ（３２）の一部に重なっている、請求項１に記載の方法。
【請求項３】
前記重ね合わせビデオ（３）を生成するステップにおいて、前記プロセッサ（１６）は更に、前記署名ストローク（３１）のセットを含む署名ファイルを生成して、該署名ファイルを前記重ね合わせビデオ（３）に組み込む、請求項１または請求項２に記載の方法。
【請求項４】
前記文書関連画像（３３１）を生成するステップにおいて、前記プロセッサ（１６）は複数の文書関連画像（３３１）を生成し、そして前記複数の文書関連画像（３３１）のうちの１つは、前記元となる電子文書（２）のスクリーンキャプチャ画像である、請求項１または請求項３に記載の方法。
【請求項５】
各前記複数の文書関連画像（３３１）は、前記元となる電子文書（２）のスクリーンキャプチャ画像である、請求項４に記載の方法。
【請求項６】
前記重ね合わせビデオ（３）を生成するステップにおいて、該重ね合わせビデオ（３）は、前記複数の文書関連画像（３３１）が該重ね合わせビデオ（３）の再生中にそれぞれ順番に表示されるよう構成される形で生成される、請求項５に記載の方法。
【請求項７】
前記重ね合わせビデオ（３）を生成するステップにおいて、該重ね合わせビデオ（３）は、前記複数の文書関連画像（３３１）が該重ね合わせビデオ（３）の再生中にそれぞれ順番に繰り返し表示されるよう構成される形で生成される、請求項５に記載の方法。
【請求項８】
前記重ね合わせビデオ（３）を生成するステップにおいて、該重ね合わせビデオ（３）は、前記複数の文書関連画像（３３１）が該重ね合わせビデオ（３）の再生中に所定期間内で少なくとも１回それぞれ順番に表示されるよう構成される形で生成される、請求項５に記載の方法。
【請求項９】
前記文書関連画像（３３１）のうちの１つは、前記元となる電子文書（２）の前記スクリーンキャプチャのサムネイルを含む、請求項４〜請求項８のいずれか一項に記載の方法。
【請求項１０】
元となる電子文書（２）から電子署名文書（２′）を作成するための電子装置（１）であって、
該電子装置（１）は、
プロセッサ（１６）と、
前記プロセッサ（１６）に接続される画像取込部（１２）と、
前記プロセッサ（１６）に接続され、且つ表示部を具えた入力／出力モジュールと、
を備えており、
前記プロセッサ（１６）は、
前記元となる電子文書（２）の内容に基づいて文書関連画像（３３１）を生成し、
前記表示部を制御して、前記元となる電子文書（２）を表示し、
前記画像取込部（１２）を制御して、前記入力／出力モジュールにおける署名を構築する署名ストローク（３１）のセットをユーザが入力している時の該ユーザのリアルタイムビデオ（３２）を録画し、
前記リアルタイムビデオ（３２）と前記文書関連画像（３３１）とに基づいて重ね合わせビデオ（３）を生成し、該重ね合わせビデオ（３）においては、前記文書関連画像（３３１）と前記リアルタイムビデオ（３２）の一部が重ね合わされていて、
前記重ね合わせビデオ（３）を前記元となる電子文書（２）に嵌め込むことで、電子署名文書（２′）を生成する、
ように構成されている、電子装置（１）。
【請求項１１】
前記プロセッサ（１６）は、前記文書関連画像（３３１）が前記リアルタイムビデオ（３２）の一部に重なる形で、前記重ね合わせビデオ（３）を生成するように構成されている、請求項１０に記載の電子装置（１）。
【請求項１２】
前記プロセッサ（１６）は、前記署名ストローク（３１）のセットを含む署名ファイルを生成して、該署名ファイルを前記重ね合わせビデオ（３）に組み込むよう、更に構成されている、請求項１０または請求項１１に記載の電子装置（１）。
【請求項１３】
前記プロセッサ（１６）は、複数の文書関連画像（３３１）を生成するよう更に構成されており、
前記複数の文書関連画像（３３１）のうちの１つは、前記元となる電子文書（２）のスクリーンキャプチャ画像である、請求項１０〜請求項１２のいずれか一項に記載の電子装置（１）。
【請求項１４】
各前記複数の文書関連画像（３３１）は、前記元となる電子文書（２）のスクリーンキャプチャ画像である、請求項１０〜請求項１３にいずれか一項に記載の電子装置（１）。
【請求項１５】
前記プロセッサ（１６）は、前記複数の文書関連画像（３３１）が前記重ね合わせビデオ（３）の再生中にそれぞれ順番に表示されるよう構成される形で、該重ね合わせビデオ（３）を生成するように構成されている、請求項１４に記載の電子装置（１）。
【請求項１６】
前記プロセッサ（１６）は、前記複数の文書関連画像（３３１）が前記重ね合わせビデオ（３）の再生中にそれぞれ順番に繰り返し表示されるよう構成される形で、該重ね合わせビデオ（３）を生成するよう構成されている、請求項１４に記載の電子装置（１）。
【請求項１７】
前記プロセッサ（１６）は、前記複数の文書関連画像（３３１）が前記重ね合わせビデオ（３）の再生中に所定期間内で少なくとも１回それぞれ順番に表示されるように構成される形で、該重ね合わせビデオ（３）を生成するよう構成されている、請求項１４に記載の電子装置（１）。
【請求項１８】
前記文書関連画像（３３１）のうちの１つは、前記元となる電子文書の前記スクリーンキャプチャのサムネイルを含む、請求項１０〜請求項１７のいずれか一項に記載の電子装置（１）。
【外国語明細書】
2020021460000001.pdf
2020021460000002.pdf
2020021460000003.pdf
2020021460000004.pdf